(57)【要約】【課題】稀液分配による高温再生器の温度の過度上昇を回避する吸収式冷凍機を提供する。【解決手段】高温再生器と低温再生器とに分岐して流れる稀液の比率を可変する比率可変手段を設け、比率可変手段は、高温再生器の温度が第１温度を超えた場合に、高温再生器に流れる稀液の量を増加させるように制御される構成とする。【選択図】図３
2011094911.tif 000002
【特許請求の範囲】
【請求項１】
高温再生器及び低温再生器を備え、これら高温再生器と低温再生器とに稀液を分岐して流す吸収式冷凍機において、
前記高温再生器と前記低温再生器とに分岐して流れる稀液の比率を可変する比率可変手段を設け、
前記比率可変手段は、前記高温再生器の温度が第１温度を超えた場合に、前記高温再生器に流れる稀液の量を増加させるように制御されることを特徴とする吸収式冷凍機。
【請求項２】
前記高温再生器に稀液を供給する吸収液ポンプを備え、
前記比率可変手段は、前記吸収液ポンプの運転周波数に応じて調整されるものであり、
前記高温再生器の温度が第１温度を超えた場合に、調整された前記比率可変手段は、前記高温再生器に流れる稀液の量を増加させるように制御されることを特徴とする請求項１に記載の吸収式冷凍機。
【請求項３】
前記比率可変手段は、該比率可変手段が制御されても、前記高温再生器の温度が前記第１温度を下回らない場合に、前記高温再生器に流れる稀液の量を増加させるように制御されることを特徴とする請求項１又は２に記載の吸収式冷凍機。
【請求項４】
前記比率可変手段は、該比率可変手段が制御されても、前記高温再生器の温度が前記第１温度より高い第２温度を超えた場合に、前記高温再生器に流れる稀液の量を増加させるように制御されることを特徴とする請求項３に記載の吸収式冷凍機。
【請求項５】
前記高温再生器の入熱量を制御する入熱量制御弁を備え、
前記入熱量制御弁の開度は、冷温水出口温度に応じて調整されるものであり、
前記比率可変手段が制御されても、前記高温再生器の温度が前記第１温度を下回らない場合に、調整された開度が小さく制御されることを特徴とする請求項１乃至４のいずれかに記載の吸収式冷凍機。
【請求項６】
前記入熱量制御弁は、前記比率可変手段が制御されても、前記高温再生器の温度が前記第１温度より高い第２温度を超えた場合に、調整された開度が小さく制御されることを特徴とする請求項５に記載の吸収式冷凍機。
【発明の詳細な説明】
【技術分野】
【０００１】
本発明は、吸収器からの稀液を高温再生器と低温再生器とに分岐する吸収式冷凍機に関する。
【背景技術】
【０００２】
従来、高温再生器、低温再生器、凝縮器、蒸発器、及び吸収器を配管接続して吸収液及び冷媒の循環サイクルを形成した吸収式冷凍機が知られている（例えば、特許文献１参照）。この吸収式冷凍機では、高温再生器内の吸収液の量が少なくなり、高温再生器の温度が高くなると、吸収式冷凍機の運転を停止していた。
【先行技術文献】
【特許文献】
【０００３】
【特許文献１】特開２００８−１０６９５５号公報
【発明の概要】
【発明が解決しようとする課題】
【０００４】
ところで、冷媒が吸収液に吸収された稀釈吸収液（以下、稀液と言う。）を吸収器から高温再生器と低温再生器とに分配する吸収式冷凍機においては、高温再生器に流れる稀液の比率が低下し、高温再生器の温度が上昇する可能性がある。
本発明は、上述した事情に鑑みてなされたものであり、稀液分配による高温再生器の温度の過度上昇を回避する吸収式冷凍機を提供することを目的とする。
【課題を解決するための手段】
【０００５】
上記目的を達成するために、本発明は、高温再生器及び低温再生器を備え、これら高温再生器と低温再生器とに稀液を分岐して流す吸収式冷凍機において、前記高温再生器と前記低温再生器とに分岐して流れる稀液の比率を可変する比率可変手段を設け、前記比率可変手段は、前記高温再生器の温度が第１温度を超えた場合に、前記高温再生器に流れる稀液の量を増加させるように制御されることを特徴とする。
【０００６】
上記構成において、前記高温再生器に稀液を供給する吸収液ポンプを備え、前記比率可変手段は、前記吸収液ポンプの運転周波数に応じて調整されるものであり、前記高温再生器の温度が第１温度を超えた場合に、調整された前記比率可変手段は、前記高温再生器に流れる稀液の量を増加させるように制御されてもよい。
【０００７】
上記構成において、前記比率可変手段は、該比率可変手段が制御されても、前記高温再生器の温度が前記第１温度を下回らない場合に、前記高温再生器に流れる稀液の量を増加させるように制御されてもよい。
【０００８】
上記構成において、前記比率可変手段は、該比率可変手段が制御されても、前記高温再生器の温度が前記第１温度より高い第２温度を超えた場合に、前記高温再生器に流れる稀液の量を増加させるように制御されてもよい。
【０００９】
上記構成において、前記高温再生器の入熱量を制御する入熱量制御弁を備え、前記入熱量制御弁の開度は、冷温水出口温度に応じて調整されるものであり、前記比率可変手段が制御されても、前記高温再生器の温度が前記第１温度を下回らない場合に、調整された開度が小さく制御されてもよい。
【００１０】
上記構成において、前記入熱量制御弁は、前記比率可変手段が制御されても、前記高温再生器の温度が前記第１温度より高い第２温度を超えた場合に、調整された開度が小さく制御されてもよい。
【発明の効果】
【００１１】
本発明によれば、前記高温再生器と前記低温再生器とに分岐して流れる稀液の比率を可変する比率可変手段を設け、前記比率可変手段は、前記高温再生器の温度が第１温度を超えた場合に、前記高温再生器に流れる稀液の量を増加させるように制御されるため、高温再生器に流れる稀液の量が多くなるので、高温再生器の温度の過度上昇を回避できる。
【図面の簡単な説明】
【００１２】
【図１】本発明の実施の形態に係る吸収式冷凍機を示す回路図である。
【図２】第１吸収液ポンプの運転周波数と稀液分配弁の開度との関係を示す図である。
【図３】高温回避処理を示すフローチャートである。
【発明を実施するための形態】
【００１３】
以下、図面を参照して本発明の実施の形態について説明する。
図１は、本発明の実施の形態に係る吸収式冷凍機を示す回路図である。
吸収式冷凍機１００は、例えば、冷媒に水、吸収液に臭化リチウム（ＬｉＢｒ）溶液を用いた二重効用吸収式冷凍機である。この吸収式冷凍機１００は、高温再生器１、低温再生器２、凝縮器３、蒸発器４、吸収器５、高温熱交換器６、低温熱交換器７、及び冷媒ドレン熱回収器９等が配管接続され、吸収液及び冷媒の循環サイクルが構成されている。
【００１４】
高温再生器１には、インバータ８Ａで周波数可変に制御される第１吸収液ポンプ（吸収液ポンプ）８により、稀液を吸収器５から導く稀液管２０が接続されている。この稀液管２０は、第１稀液管２０Ａと第２稀液管２０Ｂとに分岐され、第１稀液管２０Ａは低温熱交換器７内を通過し、第２稀液管２０Ｂは冷媒ドレン熱回収器９内を通過している。第１稀液管２０Ａ及び第２稀液管２０Ｂは再度合流して稀液管２０となり、稀液管２０は、さらに第３稀液管２０Ｃと第４稀液管２０Ｄとに分岐している。第３稀液管２０Ｃは高温再生器１に接続され、第４稀液管２０Ｄは低温再生器２に接続されている。
【００１５】
高温再生器１内には、第１吸収液ポンプ８によって吸収器５から稀液管２０を介して導かれた稀液が収容されており、この稀液の液面を検知する液面検知器１Ａが設けられている。この稀液は、例えば都市ガスを燃料とするバーナ１０によって加熱されるようになっている。バーナ１０は、燃料に点火する点火器１０Ａと、燃料量を制御して入熱量を可変にする燃料制御弁（入熱量制御弁）１０Ｂとを備えて構成されている。高温再生器１には、排ガスを排気する排気管１１が設けられている。また、高温再生器１には、稀液が加熱されることで生じた冷媒蒸気を凝縮器３へと導く冷媒蒸気管２１と、冷媒蒸気が分離されて濃度が高くなった濃縮吸収液（以下、濃液と言う。）を吸収器５へと導く吸収液管２２とが接続されている。冷媒蒸気管２１は、第１冷媒蒸気管２１Ａと第２冷媒蒸気管２１Ｂとに分岐され、第１冷媒蒸気管２１Ａは、低温再生器２を伝熱管として経由し、低温再生器２の下流に冷媒ドレン熱回収器９を備え、凝縮器３に接続されている。第２冷媒蒸気管２１Ｂは、開閉弁３１を備え、吸収器５に接続されている。吸収液管２２は、第１吸収液管２２Ａと第２吸収液管２２Ｂとに分岐され、第１吸収液管２２Ａには高温熱交換器６が設けられ、第２吸収液管２２Ｂは開閉弁３２を備え、吸収器５に接続されている。
【００１６】
低温再生器２には、第１冷媒蒸気管２１Ａを流通する冷媒蒸気によって稀液が加熱されることで生じた冷媒蒸気を凝縮器３へと流入させるエリミネータ１２が仕切壁の上部に設けられている。また、低温再生器２には、冷媒蒸気が分離された濃液を吸収器５へと導く吸収液管２３が接続されている。この吸収液管２３と、高温再生器１に接続された第１吸収液管２２Ａとは、合流して吸収液管２４となる。この吸収液管２４は、途中、第１吸収液管２４Ａと第２吸収液管２４Ｂとに分岐している。第１吸収液管２４Ａには、高温再生器１及び低温再生器２の下部に貯留された濃液を吸収液管２４へ流通させる第２吸収液ポンプ１３と、吸収器５から流出して高温再生器１へと戻る稀液の一部を加熱する低温熱交換器７とが設けられている。吸収液管２４は、吸収器５内の上部に設けられた散布器５Ａに接続されている。
【００１７】
凝縮器３には、この凝縮器３の下部から蒸発器４へ、途中にＵ字部を備えた冷媒管２５が接続され、重力の作用により冷媒管２５を介して流下する凝縮器３内の液冷媒が蒸発器４内に流入するようになっている。また、凝縮器３内には、冷却水が流通する冷却水管２６が伝熱管として配置されている。
蒸発器４には、凝縮器３から流入した冷媒が溜まる冷媒溜まり４Ｂが形成され、この冷媒溜まり４Ｂから上部に設けられた散布器４Ａへと液冷媒を循環させる冷媒ポンプ１４を備えた冷媒管２７が接続されている。蒸発器４内には、冷温水管２８が伝熱管として配置され、この冷温水管２８を介して、ブライン（例えば、冷水又は温水）が図示しない熱負荷（例えば空気調和装置）に循環供給される。冷温水管２８と冷却水管２６とは、開閉弁３３が設けられた接続管２９によって接続されている。
【００１８】
蒸発器４及び吸収器５の内部は高真空に保持されている。蒸発器４と吸収器５との間は仕切壁１５Ａで仕切られており、仕切壁１５Ａの上部には、蒸発器４において散布器４Ａから冷温水管２８に散布されて蒸発した冷媒蒸気が吸収器５へと流入するエリミネータ１５Ｂが設けられている。
吸収器５の下部には、蒸発器４からの冷媒蒸気が散布器５Ａから散布された濃液に吸収された稀液が溜まる稀液溜まり５Ｂが形成されている。この稀液溜まり５Ｂには、冷媒管２７から分岐して開閉弁３４が設けられた分岐管３０と、上記稀液管２０とが接続されている。吸収器５内には、冷却水が流通する冷却水管２６が伝熱管として配置されている。この冷却水管２６は、この吸収器５内を経由して上記凝縮器３内を経由するように配設されている。
【００１９】
吸収式冷凍機１００には、冷温水管２８の蒸発器４出口側に設けられて冷温水出口温度を検出する温度センサ５１が設けられている。
さらに、吸収式冷凍機１００には、吸収式冷凍機１００の制御を行う制御装置６０が設けられている。制御装置６０は、液面検知器１Ａにより検出される高温再生器１における吸収液の液面の高さ、温度センサ５１により検出されるブラインの温度等を取得する。そして、制御装置６０は、取得した値に基づいて、点火器１０Ａの点火制御、燃料制御弁１０Ｂの開閉及び開度制御、第１吸収液ポンプ８、第２吸収液ポンプ１３及び冷媒ポンプ１４の運転／停止制御、インバータ８Ａの周波数制御等を実行する。
【００２０】
吸収式冷凍機１００は、制御装置６０の制御により、冷温水管２８から冷水を取り出す冷房運転が実行される。冷房運転時には、冷温水管２８を介して熱負荷に循環供給されるブライン（例えば冷水）の冷温水出口温度が所定の設定温度、例えば７℃になるように吸収式冷凍機１００に投入される入熱量が制御装置６０により制御される。具体的には、制御装置６０は、ポンプ８，１４を起動し、冷却水管２６に冷却水を流し、バーナ１０で燃料を燃焼させ、温度センサ５１が検出する冷温水出口温度が所定の７℃となるようにバーナ１０の火力を制御する。なお、冷房運転時には、開閉弁３１〜３４は閉じられる。
【００２１】
高温再生器１内の吸収液は、バーナ１０により加熱され、濃縮して濃液と冷媒蒸気とに分離する。この冷媒蒸気は、冷媒蒸気管２１，２１Ａを流通して低温再生器２を経由し、低温再生器２に供給された稀液を加熱する。第１冷媒蒸気管２１Ａを流通する冷媒蒸気は、さらに冷媒ドレン熱回収器９を経由し、第１吸収液ポンプ８によって吸収器５から流出した稀液の一部を加熱し、凝縮して液冷媒となって凝縮器３に入る。高温再生器１からの冷媒蒸気によって加熱された低温再生器２の稀液は、濃縮して濃液と冷媒蒸気とに分離する。この冷媒蒸気は、エリミネータ１２を通って凝縮器３に入る。
【００２２】
低温再生器２から凝縮器３に入った冷媒蒸気は、冷却水管２６内を流通する冷却水によって冷却されて液冷媒となる。この液冷媒及び高温再生器１からの液冷媒は、冷媒管２５を流通して蒸発器４に入り、一部蒸発しながらも冷媒溜まり４Ｂに溜まる。冷媒溜まり４Ｂに溜まった液冷媒は、冷媒ポンプ１４によって冷媒管２７を流通して蒸発器４内の散布器４Ａに供給され、散布器４Ａから冷温水管２８の表面に散布される。このとき、冷媒は気化熱により、冷温水管２８内を流通する温水の熱を奪い取り、温水が冷却されて冷水となる。この冷水は、熱負荷に供給されて冷房等の冷却運転が行われる。蒸発器４で蒸発した冷媒蒸気は、エリミネータ１５Ｂを通って吸収器５に入る。
【００２３】
一方で、高温再生器１で濃縮された濃液は、吸収液管２２を流通して高温熱交換器６を経て冷却された後、吸収液管２３を通る低温再生器２からの濃液と吸収液管２４で合流する。この濃液は、第２吸収液ポンプ１３によって低温熱交換器７を経由し、第１吸収液ポンプ８によって吸収器５から流出した稀液の残りを加熱する。その後、この濃液は、吸収器５内の散布器５Ａに供給され、散布器５Ａから冷却水管２６の表面に散布される。吸収器５では、蒸発器４で発生した冷媒蒸気が濃液に吸収され、濃度の低下した稀液となって稀液溜まり５Ｂに溜まる。なお、冷媒蒸気が濃液に吸収される際に発生する熱は、冷却水管２６内を流通する冷却水により冷却される。
【００２４】
吸収器５の稀液溜まり５Ｂに溜まった稀液は、第１吸収液ポンプ８によって稀液管２０から流出される。この稀液の一部は、第２稀液管２０Ｂを流通して冷媒ドレン熱回収器９を経由し、第１冷媒蒸気管２１Ａ内を流通する冷媒蒸気によって加熱される。残りの稀液は、第１稀液管２０Ａを流通して低温熱交換器７を経由し、吸収液管２４内を流通する濃液によって加熱される。第１稀液管２０Ａ及び第２稀液管２０Ｂを流通する稀液は、稀液管２０で合流した後、一部が第３稀液管２０Ｃを流通して高温再生器１に入り、残りが第４稀液管２０Ｄを流通して低温再生器２に入る。
【００２５】
吸収式冷凍機１００の冷房運転時に、熱負荷の負荷が下がり、高温再生器１に投入される入熱量が減少すると、第４稀液管２０Ｄの出口２０Ｄ１が配置される低温再生器２内の空間Ｓの圧力が大きく低下する。したがって、高温再生器１に比べて低温再生器２に流れる稀液の量が多くなり、高温再生器１と低温再生器２とに分配される稀液の比率のバランスが崩れて、性能が低下してしまうおそれがある。
本実施の形態の吸収式冷凍機１００は、第４稀液管２０Ｄに設けられ、高温再生器１と低温再生器２とに分岐して流れる稀液の比率を可変する稀液分配弁（比率可変手段）４１を備えている。
【００２６】
また、本実施の形態の吸収式冷凍機１００は、高温再生器１に設けられて高温再生器１内の吸収液の温度（高温再生器１の温度）を検出する温度センサ５２と、冷却水管２６の吸収器５入口側に設けられて冷却水入口温度を検出する冷却水入口温度センサ５４とを備えている。第１吸収液ポンプ８は、温度センサ５２，５４が検出した高温再生器１の温度及び冷却水入口温度に応じて、運転周波数が調整されるように構成されている。換言すれば、第１吸収液ポンプ８の運転周波数は、熱負荷の負荷、すなわち、低温再生器２内の圧力に応じて変化する。具体的には、低温再生器２内の圧力が低下するほど、第１吸収液ポンプ８の運転周波数は低下する。
制御装置６０は、低温再生器２内の圧力、すなわち、第１吸収液ポンプ８の運転周波数に応じて、稀液分配弁４１の開度を制御（調整）している。
【００２７】
図２は、第１吸収液ポンプ８の運転周波数と稀液分配弁４１の開度との関係を示す図である。
本実施の形態では、１００％負荷時に、第１吸収液ポンプ８の運転周波数は、例えば６０Ｈｚに設定され、稀液分配弁４１の開度は、例えば５０％に設定される。これにより、本実施の形態では、１００％負荷時に、低温再生器２に流れる稀液の量と、高温再生器１に流れる稀液の量とが略同一となる。
【００２８】
第１吸収液ポンプ８の運転周波数が低下するほど、制御装置６０は、稀液分配弁４１をより閉じる。より詳細には、第１吸収液ポンプ８の運転周波数が第１低下閾値（例えば４５Ｈｚ）まで低下すると、制御装置６０は、稀液分配弁４１の開度を５０％から所定開度α小さくして５０％−αとする。ここで、第１吸収液ポンプ８の運転周波数が５０％に設定される場合を段階Ａ、５０％−αに設定される場合を段階Ｂとする。なお、所定開度αは、吸収式冷凍機１００の能力等によって設定されるもので、例えば５〜１５％に設定される。
【００２９】
第１吸収液ポンプ８の運転周波数が第２低下閾値（例えば３５Ｈｚ）まで低下すると、制御装置６０は、稀液分配弁４１の開度をさらに所定開度α小さくして５０％−２αとする。ここで、第１吸収液ポンプ８の運転周波数が５０％−２αに設定される場合を段階Ｃとする。
第１吸収液ポンプ８の運転周波数が第３低下閾値（例えば２５Ｈｚ）まで低下すると、制御装置６０は、稀液分配弁４１の開度をさらに所定開度α小さくして５０％−３αとする。ここで、第１吸収液ポンプ８の運転周波数が５０％−３αに設定される場合を段階Ｄとする。
【００３０】
これに対し、第１吸収液ポンプ８の運転周波数が上昇するほど、制御装置６０は、稀液分配弁４１をより開く。より詳細には、第１吸収液ポンプ８の運転周波数が、第３低下閾値（２５Ｈｚ）より例えば５Ｈｚ高い第３上昇閾値（３０Ｈｚ）まで上昇すると、制御装置６０は、稀液分配弁４１の開度を所定開度α大きくして５０％−２αとする（段階Ｃ）。
第１吸収液ポンプ８の運転周波数が、第２低下閾値（３５Ｈｚ）より例えば５Ｈｚ高い第２上昇閾値（４０Ｈｚ）まで上昇すると、制御装置６０は、稀液分配弁４１の開度をさらに所定開度α大きくして５０％−αとする（段階Ｂ）。
第１吸収液ポンプ８の運転周波数が、第１低下閾値（４５Ｈｚ）より例えば５Ｈｚ高い第１上昇閾値（５０Ｈｚ）になると、制御装置６０は、稀液分配弁４１の開度をさらに所定開度α大きくして５０％とする（段階Ａ）。
このように、第１吸収液ポンプ８の運転周波数が低下するほど、制御装置６０は、稀液分配弁４１をより閉じて低温再生器２に流れる稀液を規制するので、熱負荷の負荷が下がって低温再生器２の圧力が低下しても、高温再生器１と低温再生器２とに分岐して流れる稀液の比率を１００負荷時の状態で維持して、部分負荷性能を向上できる。
【００３１】
ところで、本実施の形態の吸収式冷凍機１００では、高温再生器１に流れる稀液の比率が低下し、高温再生器１の温度が上昇する可能性がある。
そこで、制御装置６０は、温度センサ５２が検出した高温再生器１の温度に応じて、稀液分配弁４１及び燃料制御弁１０Ｂの開度を制御し、高温再生器１の温度の過度上昇を回避する高温回避処理を実行する。
燃料制御弁１０Ｂの開度は、制御装置６０により、温度センサ５１が検出した冷温水出口温度に応じて制御（調整）されている。本実施の形態の制御装置６０は、第１吸収液ポンプ８の運転周波数に応じて制御された稀液分配弁４１、及び、冷温水出口温度に応じて制御された燃料制御弁１０Ｂの開度を補正する補正部６１を構成している。
【００３２】
図３は、高温回避処理を示すフローチャートである。
制御装置６０は、まず、温度センサ５２が検出した高温再生器１の温度（高温再生器温度Ｔ）が第１温度以上か否か判別する（ステップＳ１）。第１温度は、高温再生器１が高温状態であることを示す温度であり、本実施の形態では、例えば１６０℃に設定されている。
制御装置６０は、高温再生器温度Ｔが１６０℃未満の場合（ステップＳ１：Ｎ）、処理を最初に戻し、高温再生器温度Ｔが１６０℃以上の場合（ステップＳ１：Ｙ）、第１吸収液ポンプ８の運転周波数に応じて制御された稀液分配弁４１の開度（稀液分配弁開度Ｍ）を、例えば第１開度だけ縮小補正する（ステップＳ２）。第１開度は、高温再生器温度Ｔを所望温度だけ低下させように、予め実験等によって取得されるものであり、本実施の形態の第１開度は、例えば高温再生器温度Ｔを約２℃低下させるべく、例えば１０％に設定されている。これにより、高温再生器１に流れる稀液の量が増加するので、高温再生器１の温度の過度上昇を回避できる。
【００３３】
ここで、稀液分配弁開度Ｍを縮小した場合、高温再生器温度Ｔが低下するまでには、ある程度の時間が掛かる。例えば、稀液分配弁開度Ｍを縮小したことによって高温再生器温度Ｔに影響が生じるまでの間だけ待機する待機時間をステップＳ２の後に設けた場合、この待機時間の間は、高温再生器温度Ｔを監視できない。
そこで、制御装置６０は、高温再生器温度Ｔが第２温度以上か否か判別する（ステップＳ３）。第２温度は、第１温度以上、かつ、吸収式冷凍機１００の運転を直ちに停止すべき状態を示す温度未満に設定されるものであり、本実施の形態では、例えば第１温度である１６０℃より１℃高い１６１℃に設定されている。このように、第２温度を第１温度より高く設定することで、稀液分配弁開度Ｍの縮小後に待機時間を設けることなく、高温再生器温度Ｔを監視できるので、制御ロジックを簡素化できる。
【００３４】
制御装置６０は、高温再生器温度Ｔが１６１℃未満の場合（ステップＳ３：Ｎ）、高温再生器温度Ｔの高温状態が回避されたと判断して処理を最初に戻し、高温再生器温度Ｔが１６１℃以上の場合（ステップＳ３：Ｙ）、稀液分配弁開度Ｍを第２開度だけ縮小補正するとともに、燃料制御弁１０Ｂの開度（燃料制御弁開度Ｎ）に所定乗数を掛けて燃料制御弁開度Ｎを縮小補正する（ステップＳ４）。第２所定開度は、高温再生器温度Ｔを所望温度だけ低下させるように、予め実験等によって取得されるもので、本実施の形態の第２開度は、第１開度と略同一に設定されている。また、所定乗数は、高温再生器温度Ｔを所望温度だけ低下させるように、予め実験等によって取得されるもので、本実施の形態の所定乗数は、例えば高温再生器温度Ｔを約５℃低下させるべく、例えば０．８に設定されている。これにより、高温再生器１に流れる稀液の量が増加し、高温再生器１に投入される入熱量が減少するので、高温再生器１の温度の過度上昇を回避できる。
【００３５】
ここで、稀液分配弁開度Ｍだけでなく、燃料制御弁開度Ｎを縮小した場合も、高温再生器温度Ｔが低下するまでには、ある程度の時間が掛かる。
そこで、制御装置６０は、高温再生器温度Ｔが第３温度以上か否か判別する（ステップＳ５）。第３温度は、第２温度以上、かつ、吸収式冷凍機１００の運転を直ちに停止すべき状態を示す温度未満に設定されるものであり、本実施の形態では、例えば第２温度である１６１℃より１℃高い１６２℃に設定されている。このように、第３温度を第２温度より高く設定することで、稀液分配弁開度Ｍ及び燃料制御弁開度Ｎの縮小後に待機時間を設けることなく、高温再生器温度Ｔを監視できるので、制御ロジックを簡素化できる。
【００３６】
制御装置６０は、高温再生器温度Ｔが１６２℃未満の場合（ステップＳ５：Ｎ）、高温再生器温度Ｔの高温状態が回避されたと判断して処理を最初に戻し、高温再生器温度Ｔが１６２℃以上の場合（ステップＳ５：Ｙ）、高温再生器温度Ｔが過度に上昇したと判断して、吸収式冷凍機１００の運転を安全停止する（ステップＳ６）。
なお、高温回避処理において縮小された稀液分配弁４１の開度は、高温回避処理終了後、すなわち、ステップＳ３又はステップ５から最初に戻った後、図２に示す第１吸収液ポンプ８の運転周波数が閾値を越えて変化したときに、１００％負荷時の開度（本実施の形態では、５０％）に戻される。高温回避処理において縮小された燃料制御弁１０Ｂの開度は、稀液分配弁４１の開度が１００％負荷時の開度に戻されたときに、同期して、冷温水出口温度に応じた元の開度に戻ってもよいし、高温回避処理終了後に高温再生器１の温度が所定温度（例えば、１５８℃）になったときに冷温水出口温度に応じた元の開度に戻ってもよい。
【００３７】
以上説明したように、本実施の形態によれば、高温再生器１と低温再生器２とに分岐して流れる稀液の比率を可変する稀液分配弁４１を設け、稀液分配弁４１は、高温再生器１の温度が第１温度を超えた場合に、高温再生器１に流れる稀液の量を増加させるように制御されるため、高温再生器１に流れる稀液の量が多くなるので、高温再生器１の温度の過度上昇を回避できる。
【００３８】
また、本実施の形態によれば、高温再生器１に稀液を供給する第１吸収液ポンプ８を備え、稀液分配弁４１は、第１吸収液ポンプ８の運転周波数に応じて調整されるものであり、調整された稀液分配弁４１は、高温再生器１の温度が第１温度を超えた場合に、高温再生器１に流れる稀液の量を増加させるように制御されるため、第１吸収液ポンプ８の運転周波数に応じて高温再生器１に流れる稀液の量を調整しつつ、高温再生器１に流れる稀液の量を多くできるので、高温再生器１の温度の過度上昇を回避できる。
【００３９】
また、本実施の形態によれば、稀液分配弁４１は、稀液分配弁４１が制御されても、高温再生器１の温度が第１温度を下回らない場合に、高温再生器１に流れる稀液の量を増加させるように制御されるため、高温再生器１に流れる稀液の量がさらに多くなるので、高温再生器１の温度の過度上昇を回避できる。また、稀液分配弁４１を制御しても高温再生器１の温度が第１温度を下回らないときに、直ちに吸収式冷凍機１００の運転を安全停止する場合に比べ、高温再生器１の温度の上昇による頻繁な安全停止を回避できる。
【００４０】
また、本実施の形態によれば、稀液分配弁４１は、稀液分配弁４１が制御されても、高温再生器１の温度が第１温度より高い第２温度を超えた場合に、高温再生器１に流れる稀液の量を増加させるように制御されるため、稀液分配弁４１の開度を縮小したことによる影響が生じるまでの待機時間を設ける必要がなくなるので、制御ロジックを簡素化できる。
【００４１】
また、本実施の形態によれば、高温再生器１の入熱量を制御する燃料制御弁１０Ｂを備え、燃料制御弁１０Ｂの開度は、冷温水出口温度に応じて開度が決定され、稀液分配弁４１が制御されても、高温再生器１の温度が第１温度を下回らない場合に、調整された開度が小さく制御されるため、高温再生器１に投入される入熱量が減少するので、高温再生器１の温度の過度上昇を回避できる。また、稀液分配弁４１を制御しても高温再生器１の温度が第１温度を下回らないときに、直ちに吸収式冷凍機１００の運転を安全停止する場合に比べ、高温再生器１の温度の上昇による頻繁な安全停止を回避できる。
【００４２】
また、本実施の形態によれば、燃料制御弁１０Ｂは、稀液分配弁４１が制御されても、高温再生器１の温度が第１温度より高い第２温度を超えた場合に、調整された開度が小さく制御されるため、稀液分配弁４１及び燃料制御弁１０Ｂの開度を縮小したことによる影響が生じるまでの待機時間を設ける必要がなくなるので、制御ロジックを簡素化できる。
【００４３】
但し、上記実施の形態は本発明の一態様であり、本発明の趣旨を逸脱しない範囲において適宜変更可能であるのは勿論である。
例えば、上記実施の形態では、稀液分配弁４１は、低温再生器２へとつながる第４稀液管２０Ｄに設けられていたが、高温再生器１へとつながる第３稀液管２０Ｃに設けられてもよい。この場合、ステップＳ２及びステップＳ４において、稀液分配弁開度Ｍを、第１開度又は第２開度だけ拡大すればよい（Ｍ＝Ｍ＋１０％）。
【００４４】
また、上記実施の形態では、高温回避処理が実行される前の稀液分配弁４１は、第１吸収液ポンプ８の運転周波数に応じて制御されていたが、高温回避処理が実行される前の稀液分配弁４１の開度は、一定開度（例えば５０％）に設定されてもよい。この場合、稀液分配弁４１の開度は、高温回避処理の終了後、所定の条件を満たした場合に、一定開度に戻されればよい。
また、上記実施の形態では、ステップＳ４において、稀液分配弁開度Ｍ及び燃料制御弁開度Ｎの両方を縮小したが、一方だけを縮小するようにしてもよい。
また、上記実施の形態では、高温再生器１にて吸収液を加熱する加熱手段として都市ガスを燃焼させて加熱を行うバーナ１０を備える構成について説明したが、これに限るものではなく、灯油やＡ重油を燃焼させるバーナを備える構成や、蒸気や排気ガス等の温熱を用いて加熱する構成としてもよい。
【符号の説明】
【００４５】
１  高温再生器
２  低温再生器
８  第１吸収液ポンプ（吸収液ポンプ）
８Ａ  インバータ
１０Ｂ  燃料制御弁（入熱量制御弁）
４１  稀液分配弁（比率可変手段）
５１，５２  温度センサ
６０  制御装置
１００  吸収式冷凍機
【図１】
2011094911.tif 000003
【図２】
2011094911.tif 000004
【図３】
2011094911.tif 000005